(57)【要約】【課題】曲げて配線した場合においても誤動作を起こすことがないコードスイッチの提供。【解決手段】少なくとも２本の電極線を、電極線の間に所定の間隔を保って、中空絶縁体の内面に沿って長手方向に配置してなるコードスイッチにおいて、前記電極線の間には、長手方向の所定位置に紫外線硬化樹脂、可視光硬化樹脂またはホットメルト樹脂等からなる介在物が設けられているコードスイッチ。【選択図】  図１
2004342456.tif 000002
【特許請求の範囲】
【請求項１】
少なくとも２本の電極線が、電極線同士が電気的に接続されない状態でもって、中空絶縁体の内面に沿って長手方向に配置されてなるコードスイッチにおいて、前記電極線の間には、長手方向の所定位置に介在物が設けられていることを特徴とするコードスイッチ。
【請求項２】
前記介在物は、コードスイッチの折り曲げ部に設けられている請求項１記載のコードスイッチ。
【請求項３】
前記介在物は、紫外線硬化樹脂、可視光硬化樹脂またはホットメルト樹脂からなる請求項１記載のコードスイッチ。
【請求項４】
前記中空絶縁体は、透明または半透明であり、前記介在物は、紫外線硬化樹脂または可視光硬化樹脂からなる請求項１記載のコードスイッチ。
【請求項５】
前記中空絶縁体は、不透明であり、前記介在物は、ホットメルト樹脂からなる請求項１記載のコードスイッチ。
【請求項６】
前記介在物は、弾性体からなる請求項１記載のコードスイッチ。
【請求項７】
前記介在物は、ショアＡ硬度が２０〜９５の樹脂からなる請求項１記載のコードスイッチ。
【発明の詳細な説明】
【０００１】
【発明の属する技術分野】
本発明は、外部から押し圧が加わるとオン状態となるコードスイッチに関し、特に、曲げ配線部での誤動作を防止できるコードスイッチに関するものである。
【０００２】
【従来の技術】
自動開閉機能を有するドア、窓、シャッタ等の開閉装置が、ビル、店舗、ガレージ等の建造物や自動車等において普及している。これに伴って、人体の一部の挟まれ事故等の発生が懸念されており、事故防止対策として開閉部にスイッチ類を取り付けることが検討されている。
【０００３】
このためのスイッチとして、図５および図６に示すような断面構造のコードスイッチが従来より知られている。図５に示すコードスイッチ５０は、４本の電極線５２が、電極線同士が電気的に接続されない状態でもって、中空絶縁体５１の内面に沿って長手方向に螺旋状に配置されたものである（例えば、特許文献１）。また、図６に示すコードスイッチ６０は、２本の電極線６２が、電極線同士が電気的に接続されない状態でもって、中空絶縁体６１の内面に沿って平行に配置されたものである（例えば、特許文献２）。
【０００４】
上記コードスイッチ５０、６０において、電極線５２、６２は、銅線の外周に導電性プラスチックを被覆したものが使用されている。このため、中空絶縁体５１、６１の外部から押し圧が加わると、中空絶縁体５１、６１が変形し、電極線５２、６２同士が接触することにより導通し、スイッチとして作動することになる。
【０００５】
【特許文献１】
再公表特許ＷＯ９７／２１２３５号公報
【特許文献２】
特開平０６−２６００５４号公報
【０００６】
【発明が解決しようとする課題】
このような、コードスイッチ５０、６０を挟み込み防止用として自動開閉式の窓やドアに取り付ける場合は、図７に示すように、コードスイッチ５０、６０の両端に端末処理部７４、７５が形成されるが、この部分は、押し圧が加わっても反応しない不感部分となってしまう。なお、図において７６はリード線である。
【０００７】
不感部分による影響をなくするため、図８に示すように、端末処理部７４、７５をドア８０の当接部８１から外れた位置に配置することが検討されている。これによって、ドア８０の当接部８１には、コードスイッチ５０、６０の反応部のみが位置するようになり、信頼性を大きく向上できるが、コードスイッチ５０、６０には、折り返し部８２、８３を形成する必要がある。この折り返し部８２、８３において、コードスイッチ５０、６０がつぶれて反応してしまい、誤動作を招く恐れがある。
【０００８】
また、侵入者検知用にコードスイッチを使用する場合には、コードスイッチを複雑に曲げて配線することがあり、この場合も曲げによりコードスイッチがつぶれてしまい、誤動作の原因となる。
【０００９】
本発明は、上記に基づいてなされたもので、曲げて配線した場合においても誤動作を起こすことがないコードスイッチの提供を目的とする。
【００１０】
【課題を解決するための手段】
上記目的を達成するため、本発明のコードスイッチは、少なくとも２本の電極線が、電極線同士が電気的に接続されない状態でもって、中空絶縁体の内面に沿って長手方向に配置されてなるコードスイッチにおいて、前記電極線の間には、長手方向の所定位置に介在物が設けられているコードスイッチを提供する。
【００１１】
電極線の間に介在物を設けることにより、コードスイッチを曲げたとき、電極線同士が接触して誤動作を起こすことを防止できるようになる。
【００１２】
【発明の実施の形態】
本発明において、介在物は、紫外線硬化樹脂、可視光硬化樹脂またはホットメルト樹脂を用いて形成することが好ましい。紫外線硬化樹脂または可視光硬化樹脂は、紫外線または可視光線を照射すると、数秒から数十秒で硬化するため、作業性がよく、硬化物は、高温においても変形しにくい。ただ、硬化に際しては、紫外線または可視光線を照射する必要があるため、コードスイッチの中空絶縁体が透明または半透明である場合に効果的である。コードスイッチの中空絶縁体が不透明である場合は、紫外線または可視光線が不透過であるので、ホットメルト樹脂を使用する。ホットメルト樹脂は、高温で溶融させて注入し、常温に冷却すると硬化する。なお、コードスイッチの中空絶縁体が透明または半透明の場合にもホットメルト樹脂を使用することが可能である。
【００１３】
曲げたとき介在物が塑性変形を起こして折れたりしないようにするため、介在物は、硬化後に弾性を有していることが好ましい。このために介在物は、ショアＡ硬度が２０〜９５、好ましくは、４０〜９０の紫外線硬化樹脂、可視光硬化樹脂またはホットメルト樹脂を用いて形成することが好ましい。ショアＡ硬度が２０以下では、変形しやすいため、コードスイッチを曲げたときに、介在物自体が変形し、電極線同士が接触して誤動作を起こしやすい。ショアＡ硬度が９５を越えると、硬すぎてコードスイッチを曲げにくくなり、また、曲げた後に戻ろうとする反発力が強いため、コードスイッチの固定が困難となる。
【００１４】
紫外線硬化樹脂、可視光硬化樹脂としては、アクリル樹脂、メタクリル樹脂、エポキシ樹脂、シリコーン樹脂などがあり、コードスイッチを使用する環境により、使用する樹脂を適宜選択することが好ましい。ホットメルト樹脂としては、ポリアミド、ポリエステル、ポリオレフィン、ポリウレタン、ポリスチレン、ブチルゴム、ＳＥＢＳ系ホットメルトなどがあり、コードスイッチを使用する環境により、使用する樹脂を適宜選択することが好ましい。
【００１５】
図１は、本発明のコードスイッチの一実施の形態の説明図であり、図１（ａ）は、側面説明図、図１（ｂ）は、図１（ａ）のＸ−Ｘ′線断面図である。４本の電極線２が、電極線同士が電気的に接続しないように所定の間隔を保って、中空絶縁体１の内面に沿って長手方向に螺旋状に配置され、電極線２の内側の空間には、介在物３が設けられることにより、コードスイッチ１０が形成されている。介在物３は、図１（ａ）に示すように、コードスイッチ１０の端末部４、５の近くに設けられる。なお、図において、６はリード線である。
【００１６】
図３は、コードスイッチ１０をドア９に取り付けた一実施の形態の説明図であり、コードスイッチ１０は、介在物３を設けた部分で折り曲げ部７、８を形成し、当接部１１に沿ってドア９に取り付けられている。折り曲げ部７、８に位置する電極線２の間には介在物３が設けられているため、折り曲げによって電極線同士が接触するようなことはなくなる。
【００１７】
図２は、本発明のコードスイッチの他の実施の形態の説明図であり、図２（ａ）は、側面説明図、図２（ｂ）は、図２（ａ）のＸ−Ｘ′線断面図である。２本の電極線２２が、電極線同士が電気的に接続しないように所定の間隔を保って、中空絶縁体２１の内面に沿って長手方向に平行に配置され、電極線２２の内側の空間には、介在物２３が設けられることにより、コードスイッチ２０が形成されている。
【００１８】
図４は、コードスイッチ２０の配線形態の説明図であり、コードスイッチ２０は、介在物２３を設けた部分で折り曲げ部２７、２８を形成して配線される。折り曲げ部２７、２８に位置する電極線２２の間には介在物２３が設けられているため、折り曲げによって電極線同士が接触するようなことはなくなる。
【００１９】
（実施例１）
図１に示すような構造のコードスイッチを作製した。中空絶縁体は半透明であり、コードスイッチの長さは２ｍである。介在物は、ショアＡ硬度６５の紫外線硬化樹脂（スリーボンド（株）製、スリーボンド３０１８）を用い、長さ１０ｃｍのものを、コードスイッチの両端部に形成した。樹脂は、（株）モリテックス製ＭＵＶ−２５０Ｕ−Ｌを用い、長さ１０ｃｍのラインガイドで３０秒間照射して硬化させた。その後、図３に示すように、介在物を設けた部分を半径８ｍｍの半円形となるように曲げを加え、ドアに取り付けた。コードスイッチは、誤動作を起こさず、正常に機能した。
【００２０】
（実施例２）
図２に示すような構造のコードスイッチを作製した。中空絶縁体は不透明であり、コードスイッチの長さは３ｍである。介在物は、ショアＡ硬度８５のポリアミド系ホットメルト樹脂（日本ペイント（株）製、パワータイト６０２）を用い、溶融粘度が２０００ｍＰａｓとなる２１０℃で、コードスイッチの中間部の２箇所に長さ１５ｃｍで形成した。その後、図４に示すように、介在物を設けた部分を半径６ｍｍの半円形となるように曲げを加えて配線した。コードスイッチは、誤動作を起こさず、正常に機能した。
【００２１】
（実施例３）
図１に示すような構造のコードスイッチを作製した。中空絶縁体は半透明であり、コードスイッチの長さは１ｍである。介在物は、ショアＡ硬度８０の可視光硬化樹脂（東亜合成（株）製、ラックストラックＬＣＲ０６２８Ａ）を用い、長さ８ｃｍのものを、コードスイッチの両端部に形成した。樹脂は、東亜合成（株）製ＨＹＰＥＲ  ＳＰＯＴ照射装置を用い、長さ１０ｃｍのラインガイドで３０秒間照射して硬化させた。その後、介在物を設けた部分を９０度折り曲げ配線してコードスイッチを固定した。コードスイッチは、誤動作を起こさず、正常に機能した。
【００２２】
（比較例１）
実施例１と同様のコードスイッチであって、介在物を設けないものを、実施例１と同様にしてドアに固定した。コードスイッチは、曲げた部分で反応してしまい、誤動作が生じた。
【００２３】
（比較例２）
実施例２と同様のコードスイッチであって、介在物を設けないものを、実施例２と同様に配線した。コードスイッチは、曲げた部分で反応してしまい、誤動作が生じた。
【００２４】
（比較例３）
実施例３と同様のコードスイッチであって、介在物を設けないものを作製し、実施例３と同様に９０度折り曲げ配線してコードスイッチを固定した。コードスイッチは、曲げた部分で反応してしまい、誤動作が生じた。
【００２５】
【発明の効果】
以上説明してきたとおり、本発明のコードスイッチは、少なくとも２本の電極線が、電極線同士が電気的に接続されない状態で、中空絶縁体の内面に沿って長手方向に配置されてなるコードスイッチにおいて、前記電極線の間には、長手方向の所定位置に介在物が設けられているものであり、コードスイッチを曲げたとき、電極線同士が接触して誤動作を起こすことを防止できるようになる。
【００２６】
紫外線硬化樹脂、可視光硬化樹脂またはホットメルト樹脂を使用して介在物を形成すると、作業性良く介在物を形成でき、また高温においても変形しにくいため、高温での誤動作を防止できる。また、介在物は、硬化後に弾性を有していれば、曲げ配線したとき塑性変形による折れを防止できる。
【図面の簡単な説明】
【図１】本発明のコードスイッチの一実施の形態の説明図で、図１（ａ）は側面説明図、図１（ｂ）は、図１（ａ）のＸ−Ｘ′線断面説明図。
【図２】本発明のコードスイッチの他の実施の形態の説明図で、図２（ａ）は側面説明図、図２（ｂ）は、図２（ａ）のＸ−Ｘ′線断面説明図。
【図３】本発明のコードスイッチをドアに取り付けた一実施の形態の説明図。
【図４】本発明のコードスイッチを曲げ配線した一実施の形態の説明図。
【図５】コードスイッチの従来例の説明図。
【図６】コードスイッチの従来例の説明図。
【図７】従来例のコードスイッチを端末処理した状態の説明図。
【図８】従来例のコードスイッチをドアに取り付けた状態の説明図。
【符号の説明】
１、２１：中空絶縁体
２、２２：電極線
３、２３：介在物
４、５：端末処理部
６：リード線
７、８、２７、２８：折り曲げ部
９：ドア
１０、２０：コードスイッチ
【図１】
2004342456.tif 000003
【図２】
2004342456.tif 000004
【図３】
2004342456.tif 000005
【図４】
2004342456.tif 000006
【図５】
2004342456.tif 000007
【図６】
2004342456.tif 000008
【図７】
2004342456.tif 000009
【図８】
2004342456.tif 000010